(57)【要約】【課題】改装対象の既存の部屋は、多くの場合に鉛直方向に対して傾いており、この傾きを考慮しての改装を提案する。【解決手段】部屋内部屋形成ユニット側方のユニット面を形成する並設されたパネル部材の内、中央部に配置されるパネル部材が、予め規定された側方幅を有し、外側部に配置のパネル部材が、既設部屋のＸ軸あるいはＹ軸に対するＺ軸方向への、予め計測され、取得された部屋傾きに対応して、既設部屋内における室内空間の最大化を図るように既設部屋のＸ軸あるいはＹ軸方向の幅に対して、部屋内部屋形成ユニットのＸ軸あるいはＹ軸方向の幅が０−３９ｍｍの間隔が狭まるようにしてＸ軸あるいはＹ軸方向の幅が縮小調整されて形成される。【選択図】図１
2015059324.tif 000002
【特許請求の範囲】
【請求項１】
複数のパネル部材の組み立てによって既設部屋内に新たに部屋空間を形成し、Ｘ軸、Ｙ軸を平面方向およびＺ軸を立て方向として、Ｘ軸、Ｙ軸およびＺ軸方向に、隔板部材からなるユニット６面を備えた部屋内部屋形成ユニットであって、
部屋内部屋形成ユニットの側方のユニット４面の各面が、隔板部材として、隙間なくそれぞれ並設して配置される複数のパネル部材からなり、ユニット２面の隣接するパネル部材を連結することで構成され、
部屋内部屋形成ユニット側方のユニット面を形成する並設されたパネル部材の内、中央部に、または外側部に配置されるパネル部材が、予め規定された側方幅を有し、外側部、または中央部に配置のパネル部材が、既設部屋のＸ軸あるいはＹ軸に対するＺ軸方向への、予め計測され、取得された部屋傾きに対応して、既設部屋内における室内空間の最大化を図るように既設部屋のＸ軸あるいはＹ軸方向の幅に対して、部屋内部屋形成ユニットのＸ軸あるいはＹ軸方向の幅が０（０を含まず）−３９ｍｍの間隔が狭まるようにしてＸ軸あるいはＹ軸方向の幅が縮小調整されて形成されること
を特徴とする部屋内部屋形成ユニット。
【請求項２】
請求項１に記載された部屋内部屋形成ユニットであって、
中央部に配置されるパネル部材が、パネル部材内に形成、配置された窓枠もしくは入り口扉を備え、外側部に配置のパネル部材が、窓枠もしくは入り口扉の形成されないパネル面で形成されることを特徴とする部屋内部屋形成ユニット。
【請求項３】
請求項１に記載された部屋内部屋形成ユニットであって、
全パネル部材は、部屋内部屋形成ユニット内側から枠体に組み込み、枠体に保持されことを特徴とする部屋内部屋形成ユニット。
【請求項４】
請求項１に記載された部屋内部屋形成ユニットであって、
隣接して配置されたパネルが、上端部および下端部を留め具によって互いに連結することを特徴とする部屋内部屋形成ユニット。
【請求項５】
請求項１に記載された部屋内部屋形成ユニットであって、
既設部屋の土台枠上に部屋内部屋形成ユニットの床パネルが直接的に載置され、既存の畳の高さと実質的に同一高さとされた部屋内部屋形成ユニット。
【請求項６】
請求項１に記載された部屋内部屋形成ユニットであって、
中央部配置のパネル部材が、部屋内部屋形成ユニットの入り口扉を備え、
該入り口扉の前方に、部屋内部屋形成ユニット内に配設された電子通信機器と通信可能な電子通信機器を備え電子式内部部屋配置扉を備えることを特徴とする部屋内部屋形成ユニット。
【請求項７】
複数のパネル部材の組み立てによって既設部屋内に新たに部屋空間を形成し、Ｘ軸、Ｙ軸を平面方向およびＺ軸を立て方向として、Ｘ軸、Ｙ軸およびＺ軸方向に、隔板部材からなるユニット６面を備えた部屋内部屋形成ユニットの形成方法であって、
部屋内部屋形成ユニットの側方のユニット４面の各面を、隔板部材として、隙間なくそれぞれ並設して配置される複数のパネル部材と、部屋内部屋形成ユニットの稜線部に配設され、パネル部材を保持するパネル部材枠体とで構成し、
部屋内部屋形成ユニット側方のユニット面を形成する並設されたパネル部材の内、中央部に配置されるパネル部材を、予め規定された側方幅を有するようにして形成し、外側部に配置のパネル部材を、既設部屋のＸ軸、Ｙ軸に対するＺ軸方向への、予め計測され、取得された部屋傾きに対応して、既設部屋内における室内空間の最大化を図るように既設部屋のＸ軸あるいはＹ軸方向の幅に対して、部屋内部屋形成ユニットのＸ軸あるいはＹ軸方向の幅が０（０を含まず）−３９ｍｍの間隔が狭まるようにしてＸ軸あるいはＹ軸方向の幅が縮小調整して形成すること
を特徴とする部屋内部屋形成ユニットの形成方法。
【請求項８】
計測され、取得された既設部屋の部屋傾きが予め定めた傾き以上である時に、既設部屋の部屋傾き度合いを縮小する改装を行った後に、請求項７に記載された部屋内部屋形成ユニットの形成方法が採用されることを特徴とする部屋内部屋形成ユニットの形成方法。
【発明の詳細な説明】
【技術分野】
【０００１】
本発明は、室内空間で組み立てられ部屋内部屋ユニットに関し、特に、既存の一戸建て住宅やマンション、アパート等の室内空間に設置される住居用の部屋内部屋ユニットおよびその形成方法に関する。
【背景技術】
【０００２】
介護制度の改正で居宅診療への助成も加わり、在宅生活支援の枠が拡大して、室内空間に部屋内部屋ユニットを新たに設置することが多く提案されて来た。この部屋内部屋ユニットは、床に着脱自在に取り付けられる巾木と呼ばれる床材と、床材に着脱自在に取り付けられる壁パネルと、該壁パネルの上部に着脱自在に取り付けられる天井パネル途を備え、床材、壁パネルおよび天井パネルをそれぞれ室内に搬入可能な大きさに複数に分割し、組立時に分割されたこれらの部材を着脱自在に接合した部屋内部屋ユニットが知られている。
【０００３】
特許文献１には、このような部屋内部屋ユニットであって、外部室内の窓部に対応する位置に窓部を配置、クリーンユニット化する部屋内部屋ユニットが提案されている。
【０００４】
特許文献２には、傾き計測治具を用いて壁の鉛直方向に対する傾きの度合いを計測して、計測結果に基づいて壁の傾きを調節することが記載されている。
【先行技術文献】
【特許文献】
【０００５】
【特許文献１】特開２００２―９７８０８号公報
【特許文献２】特開２００１−４０７６０号公報
【発明の概要】
【発明が解決しようとする課題】
【０００６】
室内を改装し、部屋内部屋ユニットを形成する工法は、室内の改装を短期間で、低コストで実現でき、解体や再組立の容易に行うことができるためにニーズが高い。部屋内部屋を形成する工法についてはいろいろと提案されているが、既存の部屋の室内空間を最大限に活用するために最大化して、新たに構築された部屋内部屋ユニットの室内空間を最大化することが求められる。
【０００７】
特許文献１に記載されているように、床材、壁パネルおよび天井パネルを室内に搬入可能な大きさに分割し、組立時に分割されたこれらの部材を着脱に接合することで部屋内部屋ユニットを構成することで、室内の改装を短期間で、低コストで実現でき、解体や再組立の容易に行うことができるが、改装対象の既存の部屋は、多くの場合に鉛直方向に対して傾いており、この傾きを考慮しての改装が考慮されていない。特許文献２には、傾き計測治具を用いて壁の鉛直方向に対する傾きの度合いを計測して、計測結果に基づいて壁の傾きを調節することが記載されているが、部屋内部屋ユニット形成については何も説明がなされていない。
【０００８】
本発明は、かかる点に鑑みてなされたもので改装対象の既存の部屋は、多くの場合に鉛直方向に対して傾いており、この傾きを考慮しての改装を提案するもので、既存の部屋が傾いているような時にも部屋内部屋ユニットの室内空間を最大化しながらも、床材、壁パネルおよび天井材を室内に搬入可能な大きさに分割し、組立時に分割されたこれらの部材を着脱に接合することで部屋内部屋ユニットを構成することを目的とする。
【課題を解決するための手段】
【０００９】
本発明は、複数のパネル部材の組み立てによって既設部屋内に新たに部屋空間を形成し、Ｘ軸、Ｙ軸を平面方向およびＺ軸を立て方向として、Ｘ軸、Ｙ軸およびＺ軸方向に、隔板部材からなるユニット６面を備えた部屋内部屋形成ユニットであって、
部屋内部屋形成ユニットの側方のユニット４面の各面が、隔板部材として、隙間なくそれぞれ並設して配置される複数のパネル部材と、部屋内部屋形成ユニットの稜線部に配設され、パネル部材を保持するパネル部材枠体とで構成され、
部屋内部屋形成ユニット側方のユニット面を形成する並設されたパネル部材の内、中央部に配置されるパネル部材が、予め規定された側方幅を有し、外側部に配置のパネル部材が、既設部屋のＸ軸あるいはＹ軸に対するＺ軸方向への、予め計測され、取得された部屋傾きに対応して、既設部屋内における室内空間の最大化を図るように既設部屋のＸ軸あるいはＹ軸方向の幅に対して、部屋内部屋形成ユニットのＸ軸あるいはＹ軸方向の幅が０（０を含まず）−３９ｍｍの間隔が狭まるようにしてＸ軸あるいはＹ軸方向の幅が縮小調整されて形成されること
を特徴とする部屋内部屋形成ユニットを提案する。
【００１０】
本発明は、記載された部屋内部屋形成ユニットであって、
中央部に配置されるパネル部材が、パネル部材内に形成、配置された窓枠もしくは入り口扉を備え、外側部に配置のパネル部材が、窓枠もしくは入り口扉の形成されないパネル面で形成されることを特徴とする部屋内部屋形成ユニットを提案する。
【００１１】
本発明は、記載された部屋内部屋形成ユニットであって、
全パネル部材は、部屋内部屋形成ユニット室内側から枠体に組み込み、枠体に保持されことを特徴とする部屋内部屋形成ユニットを提案する。
【００１２】
本発明は、記載された部屋内部屋形成ユニットであって、
隣接して配置されたパネルが、上端部および下端部を留め具によって互いに連結することを特徴とする部屋内部屋形成ユニットを提案する。
【００１３】
本発明は、記載された部屋内部屋形成ユニットであって、
既設部屋の土台枠上に部屋内部屋形成ユニットの土台パネルが直接的に載置され、既存の畳の高さと実質的に同一高さとされた部屋内部屋形成ユニットを提案する。
【００１４】
本発明は、記載された部屋内部屋形成ユニットであって、
中央部配置のパネル部材が、部屋内部屋形成ユニットの入り口扉を備え、
該入り口扉の前方に、部屋内部屋形成ユニット内に配設された電子通信機器と通信可能な電子通信機器を備え電子式内部部屋配置扉を備えることを特徴とする部屋内部屋形成ユニットを提案する。
【００１５】
本発明は、複数のパネル部材の組み立てによって既設部屋内に新たに部屋空間を形成し、Ｘ軸、Ｙ軸を平面方向およびＺ軸を立て方向として、Ｘ軸、Ｙ軸およびＺ軸方向に、隔板部材からなるユニット６面を備えた部屋内部屋形成ユニットの形成方法であって、
部屋内部屋形成ユニットの側方のユニット４面の各面を、隔板部材として、隙間なくそれぞれ並設して配置される複数のパネル部材と、部屋内部屋形成ユニットの稜線部に配設され、パネル部材を保持するパネル部材枠体とで構成し、
部屋内部屋形成ユニット側方のユニット面を形成する並設されたパネル部材の内、中央部に配置されるパネル部材を、予め規定された側方幅を有するようにして形成し、外側部に配置のパネル部材を、既設部屋のＸ軸、Ｙ軸に対するＺ軸方向への、予め計測され、取得された部屋傾きに対応して、既設部屋内における室内空間の最大化を図るように既設部屋のＸ軸あるいはＹ軸方向の幅に対して、部屋内部屋形成ユニットのＸ軸あるいはＹ軸方向の幅が０−３９ｍｍの間隔が狭まるようにしてＸ軸あるいはＹ軸方向の幅が縮小調整して形成すること
を特徴とする部屋内部屋形成ユニットの形成方法を提案する。
本発明は、計測され、取得された既設部屋の部屋傾きが予め定めた傾き以上である時に、既設部屋の部屋傾き度合いを縮小する改装を行った後に、上述された部屋内部屋形成ユニットの形成方法が採用されることを特徴とする部屋内部屋形成ユニットの形成方法を提案する。
【発明の効果】
【００１６】
本発明は、上述したように部屋内部屋ユニットが、予め計測され、取得された部屋傾きに対応して、既設部屋内における空間体積の最大化を図るように既設部屋のＸ軸あるいはＹ軸方向の幅に対して、部屋内部屋形成ユニットのＸ軸あるいはＹ軸方向の幅が０（０を含まず）−３９ｍｍの間隔が狭まるようにしてＸ軸あるいはＹ軸方向の幅が縮小調整されて形成されるので、既存部屋の部屋傾きを考慮しての改装が可能となり、既存部屋が傾いているような時にも部屋内部屋の空間体積を最大化しながら、床材、壁パネルおよび天井材を室内に搬入可能な大きさに分割し、組立時に分割されたこれらの部材を着脱に接合することで部屋内部屋を構成することができる。
【図面の簡単な説明】
【００１７】
【図１】本発明の実施例になる部屋内部屋ユニットの外観を示す図。
【図２】部屋内部屋ユニット１００の外観を示す図。
【図３】既設部屋が変形している場合の例を示す図。
【図４】パネル組立完成図。
【図５】変形無しの組立前既設部屋の例を示す図。
【図６】既設部屋が変形していない場合の例を示す図。
【図７】現場採寸カードを示す図。
【図８】複数のパネル部材の配置状況を示す図。
【図９】パネル部材の構造を示す図。
【図１０】パネル部材を完成させる方法を示す図。
【図１１】床構成方法を示す図。
【図１２】天井構成方法を示す図。
【図１３】天井パネル部材の構造を示す図。
【図１４】パネル自動割付・営業・現場管理支援システムフローチャートを示す図。
【図１５】壁についてのパネル割付処理を示す図。
【図１６】床・天井パネル割付処理を示す図。
【発明を実施するための形態】
【００１８】
以下、本発明の実施例を図面に基づいて説明する。
【実施例】
【００１９】
複数の部屋形成パネル部材の組み立てによって既設部屋内に新たに部屋空間を形成し、ユニット６面を備えた部屋内部屋形成ユニットの設計支援システムが採用される。
【００２０】
部屋内部屋形成ユニットの設計支援システムは次に示すデータベースおよび演算処理手段を備える。
【００２１】
データベースに、改装する家の配置図、部屋内部屋形成ユニットの原設計図、取得された既存部屋の外観形状図、形成パネル部材に生活部品を備え付ける設計方式情報、および読み取りされた現地調査用の現場採寸カードが格納される。
【００２２】
演算処理手段が、内部部屋形成ユニットの稜線部に配設した溝付き枠体とで構成された内部部屋形成ユニットの設計図、設計方式を参照し、現場採寸カードに格納されたデータを参照してＸ軸、Ｙ軸のＺ軸に対する傾斜量を計算し、Ｘ軸、Ｙ軸方向に０−３９ｍｍの狭小寸法の空間部を持つ部屋内部屋の外観形状を演算処理し、
空間部の寸法について０−３９ｍｍの調整寸法を演算し、調整寸法に基づいて外側配置のパネル部材の側方幅を演算して、それらの原設計図を変更し、画面表示手段の画面に表示させる。このようにした部屋内部屋形成ユニットの設計支援システムが準備される。
【００２３】
図１は、本発明の実施例になる部屋内部屋ユニットの外観を示す図である。
【００２４】
図１において、部屋内部屋ユニット１００は、既存の室内、すなわち一つの部屋２の中に、ユニット化されて新たに設置される。この部屋２以外の既存の部屋については改装されることを要しない。このように、部屋内部屋ユニット１００は、一戸建ての家１の既存の一つの部屋内に設置される。図１には、一戸建ての家１の中に部屋内部屋を形成した例を示してあるが、マンション、アパート等の室内空間に部屋内部屋を形成することができる。以下、典型的な一戸建ての家１の既存の部屋の中に設置される部屋内部屋ユニット１００を例にとって説明する。一戸建ての家１には、当然に住民が生活する空間であり、生活するに必要とされるガス、水道、電気等の生活設備が設置されている。部屋内部屋ユニット１００は、このような生活設備に接続され、新設された室内空間として使用されることになる。すなわち生活に必要とされる設備が付随されることになる。何が付随されるかは、家１の中の生活設備の活用との関係で、住民によって定められる。例を示せば、電気・衛星設備としての室内照明、トイレ洗面設備，流しを含む台所セット、コンセント、換気設備としてのエアコン、換気設備、建具としての車椅子対応オートスライド引戸、棚および給排水設備としての給水・給湯ヘーダー式システム、集中マス仕様排水システムである。
【００２５】
部屋内部屋ユニット１００は、図１に示すように一つの既存の部屋の一部、例えば左側部分に設置されてもいいし、一つの既存の部屋全体に設置されてもいい。一つの既存の部屋に、６帖部屋あるいは８帖部屋を部屋内部屋ユニットとして組立てられる。断面正方状としてもよい。断面正方状にすることによって、準備する壁用のパネル部材の種類を減らすことができる。
【００２６】
６帖部屋の場合、幅修正前で、幅３，５１５ｍｍ×奥行き２，６００×高さ２，４００となり、８帖部屋で幅３，５１５×奥行き３，５１５×高さ２、４００となる。８帖部屋設計の場合には、断面正方状になる。
【００２７】
既存の家１の外壁を改装して部屋内部屋ユニット１００に繋がる玄関４を設けるようにしてもよい。
【００２８】
図２は、部屋内部屋ユニット１００の外観を示す図である。
【００２９】
図２に示すように、部屋内部屋ユニット１００は、複数のパネル部材の組み立てによって既設部屋内に新たに室内空間を形成し、Ｘ軸、Ｙ軸を平面方向およびＺ軸を立て方向として、Ｘ軸、Ｙ軸およびＺ軸方向に、隔板部材からなるユニット６面を備えた部屋内部屋形成ユニットとして構成される。
【００３０】
部屋内部屋ユニット１００は、部屋内部屋形成ユニットの側方のユニット４面の各面に、隔板部材として、隙間なくそれぞれ並設して配置される複数のパネル部材からなり、ユニット２面の隣接するパネル部材を連結することで構成される。
【００３１】
図２に示す場合、既存の部屋の４隅にある柱１１内に部屋内部屋ユニット１００が配置される。柱１１は、既存の部屋にある柱であるので、点線で示してある。
【００３２】
部屋内部屋形成ユニットの側方のユニット４面の各面部に、隔板部材として、隙間なくそれぞれ並設して複数のパネル部材１３が配置され、連結部材によって連結される。配置方法については後述する。
【００３３】
部屋内部屋形成ユニットの下方部は、床部１５となる。
【００３４】
既存の家１は、一般的に床土台５と束石８との間に束７があり、並行水平配置の床土台５間を連結して並行水平配置の大引６が配置される。床土台５は、束７を介して束石８で受けられる。この大引６の上に隔板部材からなる床パネル部材７１が配設される。床パネル部材７１には、断熱材が設けられ、下張合板、上張合板が設置される。詳細構造は、図１１で説明する。
【００３５】
部屋内部屋形成ユニットの上方部は、天井部１６であり、既存の部屋の天井９０の下側に設置され、隔板部材からなる天井パネル部材９１によって形成される。天井パネル部材９１を含む天井部１６の構造については、図１２、図１３を用いて後述する。
【００３６】
このようにして形成される部屋内部屋ユニット１００は、既存の部屋２に対して新装され独立した部屋となる。
【００３７】
部屋内部屋形成ユニット１００の側方のユニット４面の各面部には、各４枚のパネル部材２１，２２，２３，２４および２５、２６、２７、２８が配設される。図の裏側にも同様に各４枚のパネル部材が配設されるが、数字付与は割愛する。これらのパネル部材は、壁を形成するために壁パネル部材と呼ぶ時がある。
【００３８】
ここでは、中央部に位置して配置されるパネル部材２２，２３およびパネル部材２６、２６は中央部配置のパネル部材と呼び、外側に位置して配置されるパネル部材２１，２４および１５、２８を外側部配置のパネル部材と呼ぶ。
【００３９】
中央部配置のパネル部材２２，２３に、窓部２９が形成され、中央部配置のパネル部材２６，２７には、部屋入口引き戸、すなわち入り口扉３０が形成され、外側部配置のパネル部材２１，２４，および２５，２８には、このような窓部、部屋入口引き戸は設置されず、全体に平板状無垢に形成され、後述するように幅調整が容易に行い得るようにされる。しかし、顧客ニーズによっては、外側部配置のパネル部材２６，２７に、窓部２９が形成され、外側部配置のパネル部材２５，２８に、部屋入口引き戸、すなわち入り口扉３０が形成され、中央部配置のパネル部材２２，２３，および２６，２７には、このような窓部、部屋入口引き戸は設置されず、全体に平板状無垢に形成され、後述するように幅調整が容易に行い得るようにされる。
【００４０】
４枚のパネル部材配置は、部屋内部屋を構成するに際して、最も機能に適して最も安価に製作できる最小構成となる。したがって、機能を多少減じてパネル部材を４枚以上配置とすることが出来るが、あるいは中央部配置のパネル部材を１枚とし、外側部配置のパネル部材を２枚構成とすることが出来るが、機能を満足してコスト低減するには、４枚パネル部材構成とするのが望ましい。この場合にあっては、中央部配置のパネル部材は２枚として、外側部配置のパネル部材によって後述するように幅調整を行うようにすることが天井パネル部材との関係で最も望ましい。
【００４１】
このようにして、部屋内部屋形成ユニット側方のユニット面を形成する並設されたパネル部材の内、中央部に、または外側部に配置されるパネル部材が、予め規定された側方幅を有し、外側部、または中央部に配置のパネル部材が、既設部屋のＸ軸あるいはＹ軸に対するＺ軸方向への、予め計測され、取得された部屋傾きに対応して、既設部屋内における室内空間の最大化を図るように既設部屋のＸ軸あるいはＹ軸方向の幅に対して、部屋内部屋形成ユニットのＸ軸あるいはＹ軸方向の幅の間隔が狭まるようにしてＸ軸あるいはＹ軸方向の幅が縮小調整されて形成されることになる。
【００４２】
図２では、中央部配置のパネル部材２６，２７が、部屋内部屋形成ユニットの入り口扉３０として構成され、床部１５の高さは、入口扉３０に向けて存在する既存の畳３１の高さと同一にされる。この入り口扉の前方（図で右側）に、部屋内部屋形成ユニット内に配設された電子通信機器と通信可能な電子通信機器を備え電子式内部部屋配置扉を備えるようにしてもよい。このような構成にすると、部屋内部屋ユニット１００の独立性を増し、通信機能を付与することが出来る。
【００４３】
図３は、既存の部屋２を示し、既存の部屋が変形している場合の例を示す（既設部屋が変形している場合の例）。ここで、変形しているとは、既設部屋２のＸ軸あるいはＹ軸に対するＺ軸方向への部屋傾きをいう。長年の使用に起因して既存の部屋は多かれ少なかれ鉛直方向に対して傾斜することになる。ここでは、この傾斜を部屋傾斜と呼ぶ。部屋傾斜がある場合、既存の部屋に新装設置する部屋内部屋ユニットを密着した設計にすることはできない。組立作業が困難となるからである。
【００４４】
図３において、既存の部屋２は、例えばＸ軸、Ｙ軸およびＺ軸方向に断面正方状、すなわち立方体状の室内空間を形成しており、４隅に既存の柱３１（柱３１（１）、柱３１（２）、柱３１（３）、柱３１（４））が配置され、これらの柱３１の側方に壁３２（壁３２（Ａ）、壁３２（Ｂ）、壁３２（Ｃ）、壁３２（Ｄ））が形成され、底部に床３３、最上部に天井３４が形成されている。
【００４５】
このような形態をなす既存の部屋２は、長年の使用により図に示すように部屋傾きを呈することになる。変形前の壁基準線をＳで示す。各柱３１の下端を３５（下端３５（１）、下端３５（２）、下端３５（３）、下端３５（４））で示し、倒れた上端を３６（上端３６（１）、上端３６（２）、上端（３）、上端３５（４））で示す。
【００４６】
既存の部屋２は、上端３６がＸ軸手前方向（図で右方）に幾分倒れ、部屋全体がＸ軸方向に傾斜する。この傾斜料をＸｍｍとする。すなわち、既存の部屋２は、Ｚ軸方向である鉛直方向に対してＸ軸方向にＸｍｍ傾斜する。傾斜がない場合には、Ｘは０になる。
【００４７】
この例では、Ｘ軸方向に傾斜した例を示すが、既存の部屋２は、Ｙ軸方向にも傾斜することがあるし、両方向に傾斜する場合もある。以下、Ｘ軸方向に傾斜した例をとり説明するが、Ｙ軸方向、両方向傾斜についても同様の説明となる。
【００４８】
誤差修正基準値を本実施例では、０（０を含まず。以下同じ）−３９ｍｍとし、Ｘｍｍに範囲を０−３９ｍｍにした。この値は、本発明者らが長年のこの分野での経験を通して取得した値であり、既存の部屋の安全が確保される値である。床３３から天井３４までの変形指数を０−３９ｍｍとする。既存の部屋２が３９ｍｍを越えて変形しているような場合には、安全性を考慮して組立設置対象外とする。組立設置対象外となった場合には、組立設置不可とするか、既存の部屋の部屋傾斜を３９ｍｍ以内に修正する改装を行った後に組立設置を実施することになる。このような誤差修正基準値を設けておくことで、組立後の部屋内部屋の安全並びに室内空間の最大化が達成されることになる。なお、部屋傾斜のある場合の修正改装は、当然に「０」を含まない。この場合、部屋傾斜の値から３９ｍｍの範囲に修正量を設定することになる。
【００４９】
図３において、室内幅aを持つ既存の部屋に組立可能な部屋内部屋ユニット１００の室内最大幅は、幅aからいずれかの側に幅ｃなる調整幅を差し引いた幅ｂとなる。
【００５０】
図４は、図３に示す既存の部屋２内に部屋内部屋ユニット１００を設置した場合の部屋内部屋１００の常に室内最大幅での組立設置を可能とした部屋内部屋ユニット１００を示す（パネル組立完成図）。部屋内部屋ユニット１００は、幅aから幅ｃを差し引いた幅ｂの範囲で組立てられる。
【００５１】
図４において、０−３９ｍｍの範囲での部屋傾斜を考慮し、既存の部屋２が０−３９ｍｍの範囲で傾斜している時に、鉛直に配置する部屋内部屋ユニット１００の室内最大幅での組立設置を可能とするために、壁３２の側方幅を幅ｃ分縮小調整して、傾斜分を吸収することを行う。部屋傾斜が３９ｍｍ以内の場合には、この部屋傾斜以上であって、３９ｍｍ以内の範囲での修正を行う。壁３２の側方幅を縮小調整して、傾斜分を吸収することを行うことをここでは３９ｍｍ以内の範囲での傾斜修正という。３９ｍｍ以内での修正であれば、十分に室内空間の最大化を図れる。
【００５２】
例えば、部屋内部屋ユニットが８帖部屋の例で、本実施例のような工夫を施すことなく、既存の部屋に対してＸ軸およびＹ軸方向に片側３０ｃｍの間隔をおいて配置した場合に対して、本実施例の双方向へ最大傾斜３９ｍｍの調整を行った時と比較してみると、前者が（３５１５−３００ｍｍ）×（３５１５−３００）になり、後者が（３５１５−３９）×（３５１５−３９）となり、室内空間は、約１７％大きいものとなる。
【００５３】
例えば、部屋内部屋ユニットが８帖部屋の例で、本実施例のような工夫を施すことなく、既存の部屋に対してＸ軸およびＹ軸方向に片側１５ｃｍの間隔をおいて配置した場合に対して、本実施例の片側に最大傾斜３９ｍｍの調整を行った時と比較してみると、前者が（３５１５−１５０ｍｍ）×（３５１５−１５０）になり、後者が（３５１５−３９）×３５１５となり、室内空間は、約８％大きいものとなる。このようにして室内空間の最大化が図られる。
【００５４】
壁３２は、典型的な例として４枚のパネル部材から構成される。壁３２（Ａ）は、パネル部材Ａ−１‐Ａ−４，壁３２（Ｂ）は、パネル部材Ｂ−１‐Ｂ−４，壁３２（Ｃ）は、パネル部材Ｃ−１‐Ｃ−４，壁３２（Ｄ）は、パネル部材Ｄ−１‐Ｄ−４で構成される。図４に示すように、壁Ａ−２、Ａ−３、Ｂ−２，Ｂ−３、Ｃ−２，Ｃ−３，Ｄ−２，Ｄ−３が中央部配置のパネル部材となり、壁Ａ−１、Ａ−４、Ｂ−１，Ｂ−４、Ｃ−１，Ｃ−４，Ｄ−１，Ｄ−４が外側配置のパネル部材となる。図４（Ａ）に、壁３２（Ｂ）を例にとった配置を示す。いずれの中央部配置のパネル部材の側方幅は同一とされる。側方部配置のパネル部材についても同様であるが、部屋傾斜によって傾斜の影響を受けるパネル部材については、縮小幅調整がなされる。
【００５５】
３９ｍｍ以内の範囲で傾斜修正は、外側配置のパネル部材の幅調整で行う。通常の場合、典型的な既存の部屋の幅方向の長さは既知であり、壁３２（Ｂ）の側方幅が一定とされた時に、壁Ｂ−１,Ｂ−２，Ｂ−３、Ｂ−４の側方幅は、例えば４等分された等長さとされ、設計値とされる。外側部配置のパネル部材の幅調整は、パネル部材Ｂ−２，Ｂ−３について個の設計値を縮小することでなされる。外側部配置のパネル部材で幅調整をおこなう理由は、中央部配置のパネル部材には、窓部２９あるいは入口扉３０が形成されるので、幅調整をしない設計としておくことが作業上、原価低減の上から望ましいことによる。
【００５６】
すなわち、幅調整を外側部配置のパネル部材に集約することで、幅調整作業を少ないステップで行うことが出来ることとなり、部屋傾きを調整して、傾き量を吸収して室内空間を最大化した部屋内部屋ユニット１００を提供することが可能になる。
【００５７】
図４に示す場合には、パネル部材Ｂ−１、Ｂ−４およびパネル部材Ｄ−１、Ｄ−２が部屋変形に対応し、システムから出力された部屋傾斜に対して室内最大幅とした組立設置がなされる。部屋傾斜に対する幅調整は、０−３９ｍｍの範囲で、計測取得された部屋傾斜量以上の範囲でなされる。
【００５８】
図５は、変形無しの組立前既設部屋の例を示し、部屋傾きがないので、a＝室内最大幅となる。
【００５９】
図６に示すパネル組立完成図では、ｂ＝a になる。したがってこのような場合には、部屋傾斜がないので、既存の部屋の側方幅を部屋内部屋ユニット１００の外幅とすることが出来、Ｘを０ｍｍにして設計することが出来る。
【００６０】
図７は、既存の部屋寸法を採取した時の記録カードである現場採寸カードを示す。
【００６１】
このカードは、仮想しようとする家１に出向いた調査員によって計測された改装しようとする既存部屋の諸データを記録するカードであり、端末の場合には入力画面に示されるカードを意味する。取得された諸データは、システムを構成するパソコンの格納装置に登録され、予め定められた計算式によって、既存部屋の部屋傾斜量が演算され、図４，５に示すa、ｂおよびｃが算出される。３９ｍｍ以内でのパネル部材の幅縮小計算の基礎数値が記録される。３９ｍｍ以上の部屋傾斜があった時の既存の部屋の改装に要するデータが記録される。
【００６２】
具体的には図７に示されるように、床面寸法の採寸、壁寸法の採寸、天井寸法の採寸がなされ、設置部屋確認事項が確認され記録される。
【００６３】
計測され、取得されたデータを用いることで、部屋内部屋形成ユニット側方のユニット面を形成する並設されたパネル部材の内、中央部に配置されるパネル部材が、予め規定された側方幅を有し、外側部に配置のパネル部材が、既設部屋のＸ軸あるいはＹ軸に対するＺ軸方向への、予め計測され、取得された部屋傾きに対応して、既設部屋内における室内空間の最大化を図るように既設部屋のＸ軸あるいはＹ軸方向の幅に対して、部屋内部屋形成ユニットのＸ軸あるいはＹ軸方向の幅が０−３９ｍｍの間隔が狭まるようにしてＸ軸あるいはＹ軸方向の幅が縮小調整されて形成される。
【００６４】
図８は、部屋内部屋形成ユニットの側方のユニット４面の各面が、隔板部材として、隙間なくそれぞれ並設して配置される複数のパネル部材を示し、壁３２（Ｃ）を例に採った例を示す。
【００６５】
図８において、上述したように壁３２は、中央部配置のパネル部材の壁Ｃ−２およびＣ−３、外側配置のパネル部材の壁Ｃ−１およびＣ−４から構成される。
【００６６】
図９および図１０に、パネル部材を形成する方法を示す。
【００６７】
図９に示すようにパネル枠体４１が形成される。パネル枠体４１は、外側枠体４２と鉛直方向の中央部配置の保持材４３、水平方向配置の上下および中央部配置の保持材４４、４５，４６から構成される。パネル枠体４１上下保持部材４４，４５によって中央部に中央空間部４７が形成され、上下端部に端部空間部４８、４９が形成される。
【００６８】
図１０に示すように、中央空間部４７、端部空間部４８、４９には、断熱材５０が収納され、それらの上側に構造用合板５１および不燃性化粧板５２が設けられる。
図８において、パネル部材３２の壁Ｃ−１は、部屋内部屋ユニット１００の内側、すなわち形成された室内空間部に分割の状態で搬入され、矢印で示す方向に移動され、隣接するパネル部材同士を連結することで、既存の柱１１の内側にパネル壁５３が形成される。並接されたパネル部材３２は、上下空間部４８，４９で隣接する枠体４２が留め具６１，６２によって固着される。留め具６１，６２は、長方形板材をコの字状に曲げて形成され、更に先端が内方曲げられ、開口部が形成されて構成され、開口部が大きく開口されて隣接する枠体を収納し、ばね力で隣接する枠体を互いに強く固定する。
【００６９】
隣接する壁のパネル部材も留め具６３によって固定される。留め具６３は直角形状Ｚ字状に形成され、双方のパネル部材端部を受け入れ部を有して構成され、受け入れたパネル部材をビス留め等適当な手段で固定することが出来る。
【００７０】
留め具６３は、このような形状に限定されず適当な構造のもので代替してよい。
【００７１】
図２に戻って、パネル部材２２，２３の中央部には窓部２９が形成される。また、パネル部材２６，２７は、入口の扉３０として形成される。
【００７２】
このように形成されるパネル部材の壁Ｃ−２,C−３については、予め定められた側方幅が決められ、工場生産時の幅が維持される。壁Ｃ−１およびＣ−４については、現場採寸カードに記入され、演算された幅値に調整される。この調整は、現場で行うことができ、あるいは工場出荷時に演算された幅値に調整される。これによって、図４に示す幅ｂが定められ、外側配置のパネル部材の側方幅が決められ、縮小幅が定められて切断される。外側部配置のパネル部材の側方幅を決めることをパネル自動割付と称する。これによって、部屋内部屋形成ユニットの側方のユニット４面の各面が、隔板部材として、隙間なくそれぞれ並設した複数のパネル部材３２が配置される。  図１１は、床構成方法を示す。
【００７３】
図１１において、部屋内部屋ユニット１００を配置する部屋２の畳が床土台５および大引６上から搬出される。床土台５および大引６の歪みを調整するために大引６上に根太掛８２が設けられる。その上側に床パネル部材８１が並列して隙間なく配置される。床パネル部材８１は、枠体８３と枠体内に配設された断熱部材８４とから構成される。最側方（図では左側）には、隙間調整用の床パネル部材８５がたの床パネル部材８１と同様にして配設される。
【００７４】
このようにして配置された床パネル部材８１，８５の上側に下張合板８６、カバー８７が、その上側に仕上板としての上張合板８８が隙間なく配置される。設置完成された部分を図の右方に断面を含んで示す。上張合板までの厚さは、畳の厚さとされ、フロアフリーとされる。これによって、部屋内部屋の床底面と部屋内部屋外側の畳との高さは土台面から実質的に同一になり、入口の扉からの出入りに際して障害となる段差が形成されない。これらの作業の演算処理を床パネル割付処理と称する。
【００７５】
図１２、図１３は、天井構成方法を示す。
【００７６】
図１２において、既存の天井板９０の直下に天井パネル部材受け枠体９２が部屋内部屋ユニット１００の天井部１６を全面的にカバーするようにして設置される。天井パネル部材９１が既存の部屋の天井板９０の直下に形成された天井パネル部材受け枠体９２に室内下方から取り付けられる。天井パネル部材受け枠体９２は、その幅を調整することを要しないように十分な幅とされ、工場で、生産される。
【００７７】
図１３は、天井パネル部材９１の詳細構造を示す。
【００７８】
図１３において、細長状の枠体９３および枠体内に形成された空間部を埋める断熱材および化粧石膏ボード９４によって形成される。枠体９３には、電線配線用の溝９４および連結部材９６，９７が取り付けてある。連結部材９６，９７はそれらの取り付け箇所の相違に起因して、枠体の下側、上側に取り付けられる。このようにすることで、隣接する天井パネル部材９２を天井パネル部材受け枠体９２状に設置した時に隣同士をしっかりとビス留めするなどしてしっかりと固定することが出来る。
【００７９】
図１２に示すように、天井パネル部材９１が矢印のように移動され、天井パネル部材受け枠体９２上に載置され、隣同士適宜固定される。このように天井パネル部材８１が隔板部材となる。これらの作業の演算処理を天井パネル割付処理と称する。
図１４から図１６は、パネル自動割付・営業・現場管理支援システムフローチャートを示す。
【００８０】
図１４において、既存部屋の採寸入力画面が表示される。（Ｓ０１）  既存部屋の基本情報が入力される。（Ｓ０２）  仕様部材寸法・単価要素データが読み出される。（Ｓ０３）  現場採寸カードの採寸表各項目セルに実測値が入力される。（Ｓ０４）  仕様部材寸法・単価要素の読み出しがなされる。（Ｓ０５）  採寸各項誤入力・基準指数値ないかどうかが判定される。（Ｓ０６）  入力数値全体からみた整合性は正常かが判断される。（Ｓ０７）  これらがＹＥＳの場合に、パネル割付処理がなされる。（Ｓ０８）
床・天井パネル割付処理がなされる。（Ｓ０９）  概算見積金額のモニター表示がなされる。（Ｓ１０）  床壁天井パネル・設備機器・建具数量が出力される。（Ｓ０１１）  製品組立施工図図面が出力される。（Ｓ１２）
図１５は、壁についてのパネル割付処理を示す。規格寸法パネル数量が出力される。（Ｓ０８−１）  部屋内部屋幅誤差吸収パネル数量が出力される。（Ｓ０８−２）  設備・電気配線パネル数量が出力される。（Ｓ０８−３）  建具開口切抜パネル数量が出力される。  （Ｓ０８−４）
図１６は、床・天井パネル割付処理を示す。床パネル数量が出力される。（Ｓ０９−１）  天井パネル数量が出力される。（Ｓ０９−２）
これらの数量取得を通して、幅調整するパネル部材数の少数化が図られ、費用の節減が図られる。
【００８１】
このようにして、部屋内部屋形成ユニット側方のユニット面を形成する並設されたパネル部材の内、中央部に配置されるパネル部材を、予め規定された側方幅を有するようにして形成し、外側部に配置のパネル部材を、既設部屋のＸ軸、Ｙ軸に対するＺ軸方向への、予め計測され、取得された部屋傾きに対応して、既設部屋内における室内空間の最大化を図るように既設部屋のＸ軸あるいはＹ軸方向の幅に対して、部屋内部屋形成ユニットのＸ軸あるいはＹ軸方向の幅が０−３９ｍｍの間隔が狭まるようにしてＸ軸あるいはＹ軸方向の幅が縮小調整して形成するステップが形成される。  その後に、パネル部材枠体を複数の連結材によって既設部屋枠体に連結するようにしてもよい。本発明のように構成すると、この連結財を省略したり、極めて簡便なものとしても、既存の部屋のなかに部屋内部屋ユニットを組立てることが出来、安定感があり安全が確保される。
【００８２】
また、計測され、取得された既設部屋の部屋傾きが予め定めた傾き以上である時に、既設部屋の部屋傾き度合いを縮小する改装を行った後に、上述した部屋内部屋形成ユニットの形成方法が採用されるステップが形成される。
【符号の説明】
【００８３】
１…家、２…既存の部屋、１１，１２…パネル部材枠体、１３…パネル部材（壁パネル部材）、１４…土台、１５…床、１７…天井、２１，２４，２５，２８…外側部配置パネル部材、２２，２３，２６，２７…中央部配置パネル部材、２９…窓部、３０…入口の扉（入口引き戸）、３１…柱、３２…壁、３３…床、３４…天井、３５…柱の下端、３６…柱の上端、１００…部屋内部屋ユニット、Ｓ…変形前の壁基準線。
【図１】
2015059324.tif 000003
【図２】
2015059324.tif 000004
【図３】
2015059324.tif 000005
【図４】
2015059324.tif 000006
【図５】
2015059324.tif 000007
【図６】
2015059324.tif 000008
【図７】
2015059324.tif 000009
【図８】
2015059324.tif 000010
【図９】
2015059324.tif 000011
【図１０】
2015059324.tif 000012
【図１１】
2015059324.tif 000013
【図１２】
2015059324.tif 000014
【図１３】
2015059324.tif 000015
【図１４】
2015059324.tif 000016
【図１５】
2015059324.tif 000017
【図１６】
2015059324.tif 000018